【手続補正書】
【提出日】平成25年10月21日(2013.10.21)
【手続補正１】
【補正対象書類名】特許請求の範囲
【補正対象項目名】全文
【補正方法】変更
【補正の内容】
【特許請求の範囲】
【請求項１】
被検眼の動きを測定する眼科装置であって、
前記被検眼の複数の眼底画像を異なる時間に取得する画像取得手段と、
前記取得された複数の眼底画像のうち少なくとも１つにおいて、眼球の動きを示す範囲に基づいて、部分領域を決定する決定手段と、
前記少なくとも１つの眼底画像のうち、前記決定された部分領域から少なくとも１つの特徴領域の探索を行う処理手段と、
前記少なくとも１つの特徴領域を用いて、前記被検眼の動きを測定する手段と、
を有することを特徴とする眼科装置。
【請求項２】
前記処理手段は、前記取得された複数の眼底画像のうち少なくとも１つから特徴領域を抽出する抽出手段を有し、
前記決定手段は、前記取得された複数の眼底画像のうち少なくとも１つに、前記範囲と前記抽出された特徴領域とに基づいて、前記部分領域を決定し、
前記処理手段は、前記取得された複数の眼底画像のうち前記特徴領域が抽出された眼底画像以外の少なくとも１つの眼底画像における前記決定された部分領域から、前記抽出された特徴領域に対応する領域を探索する探索手段を更に有することを特徴とする請求項１に記載の眼科装置。
【請求項３】
前記決定手段は、前記複数の眼底画像のうち少なくとも１つの、前記抽出した少なくとも１つの特徴領域と前記特徴領域の外枠から外側に一定の幅を持つ範囲の領域とを含む領域を、前記部分領域と決定することを特徴とする請求項２に記載の眼科装置。
【請求項４】
前記一定の幅は、被検眼が測定時間内に動く距離よりも長いことを特徴とする請求項３に記載の眼科装置。
【請求項５】
さらに、被検眼の固視微動に関する情報を得る手段を有し、前記決定手段は、前記一定の幅を、前記得られた固視微動に関する情報に基づいて決定する請求項３または４に記載の眼科装置。
【請求項６】
前記固視微動に関する情報は、外部固視、内部固視、患眼及び健常者、年齢、すべての眼底画像を撮像する時間並びに１枚の眼底画像を撮像する時間から選ばれる撮像条件によって求められることを特徴とする、請求項５に記載の眼科装置。
【請求項７】
前記固視微動に関する情報は、１枚の眼底画像を撮像する時間に基づいて定められることを特徴とする請求項５または６に記載の眼科装置。
【請求項８】
前記画像取得手段は、走査手段を介して前記被検眼に照射された測定光による戻り光に基づいて前記複数の眼底画像を取得し、
前記画像取得手段は前記複数の眼底画像における位置ずれに基づいて前記走査手段を制御する制御手段を有することを特徴とする請求項１〜７のいずれか１項に記載の眼科装置。
【請求項９】
前記処理、前記測定、前記制御、及び前記取得はこの順番で行われることを特徴とする請求項８に記載の眼科装置。
【請求項１０】
前記抽出手段は、複数の特徴領域を抽出し、
前記設定手段は、前記複数の特徴領域のそれぞれに対応する複数の部分領域を設定することを特徴とする請求項１乃至９のいずれか１項に記載の眼科装置。
【請求項１１】
前記少なくとも１つの特徴領域は血管の分岐及び交差のうち少なくとも１つの画像を含むことを特徴とする請求項１〜１０のいずれか１項に記載の眼科装置。
【請求項１２】
前記画像取得手段は、眼底カメラ、走査レーザ検眼鏡、光干渉断層撮像装置、又は視野検査装置のいずれかを含むことを特徴とする請求項１乃至１１のいずれか１項に記載の眼科装置。
【請求項１３】
前記複数の眼底画像は複数のＳＬＯ画像を含み、
前記眼科装置は前記ＳＬＯ画像のそれぞれに対応する複数のＯＣＴ画像を取得する手段を有することを特徴とする請求項１〜１１のいずれか１項に記載の眼科装置。
【請求項１４】
前記決定手段は前記探索手段により発見された類似する画像と、前記類似する画像の外枠から外側に一定の幅を持つ範囲の領域とを含む領域を、第三の部分領域と決定し、前記探索手段は、前記第三の部分領域から、前記少なくとも１つの特徴領域と類似する画像を探索することを特徴とする請求項１〜１３のいずれか１項に記載の眼科装置。
【請求項１５】
前記眼球の動きの量は、撮像条件から求められることを特徴とする請求項１〜１４のいずれか１項に記載の眼科装置。
【請求項１６】
前記眼球の動きの量は、撮像時間から求められることを特徴とする請求項１〜１４のいずれか１項に記載の眼科装置。
【請求項１７】
前記眼球の動きの量は、眼底画像の取得レートから求められることを特徴とする請求項１〜１４のいずれか１項に記載の眼科装置。
【請求項１８】
被検眼の動きを測定する眼科装置であって、
前記被検眼の複数の眼底画像を異なる時間に取得する取得手段と、
眼の動きの量に基づいて前記複数の眼底画像のうち少なくとも１つに部分領域を決定する決定手段と、
前記複数の眼底画像のうち少なくとも２つの眼底画像から特徴領域を抽出し、前記抽出された特徴領域の間の座標の差を計算する処理手段と、
前記計算の結果に基づいて前記複数の眼底画像の位置ずれを測定する測定手段と、
を含み、
前記処理手段は前記複数の眼底画像のうち１つから少なくとも１つの特徴領域を抽出し、前記取得された複数の眼底画像のうち、その他の少なくとも１つの眼底画像の前記部分領域から前記抽出された少なくとも１つの特徴領域と類似する画像を探索することを特徴とする眼科装置。
【請求項１９】
被検眼の動きを測定する眼科装置であって、
前記被検眼の複数の眼底画像を異なる時間に取得する画像取得手段と、
前記取得された複数の眼底画像のうち少なくとも１つにおいて、眼球の動きを示す範囲に基づいて、部分領域を決定する決定手段と、
前記少なくとも１つの眼底画像のうち、前記部分領域から少なくとも１つの特徴領域の探索及び抽出の少なくとも一方の処理を行う処理手段と、
前記少なくとも１つの特徴領域を用いて、前記被検眼の動きを測定する手段と、
を有することを特徴とする眼科装置。
【請求項２０】
コンピュータを、請求項１〜１９のいずれか１項に記載の眼科装置として機能させるためのコンピュータプログラム。
【請求項２１】
被検眼の動きを測定する方法であって、
前記被検眼の複数の眼底画像を異なる時間に取得する工程と、
眼の動きの量に基づいて前記複数の眼底画像のうち少なくとも１つに部分領域を決定する工程と、
前記複数の眼底画像のうち少なくとも２つの眼底画像から特徴領域を抽出する工程、及び前記抽出された特徴領域の間の座標の差を計算する工程、を含む処理をする工程と、
前記処理の結果に基づいて前記複数の眼底画像の位置ずれを測定する工程と、
を含み、
前記処理をする工程は前記複数の眼底画像のうち１つから少なくとも１つの特徴領域を抽出する工程、及び前記取得された複数の眼底画像のうち、その他の少なくとも１つの眼底画像の前記部分領域から前記抽出された少なくとも１つの特徴領域と類似する画像を探索する工程を含むことを特徴とする被検眼の動きを測定する方法。
【請求項２２】
被検眼の動きを測定する方法であって、
前記被検眼の複数の眼底画像を異なる時間に取得する工程と、
前記取得された複数の眼底画像のうち少なくとも１つにおいて、眼球の動きを示す範囲に基づいて、部分領域を決定する工程と、
前記少なくとも１つの眼底画像のうち、前記部分領域から少なくとも１つの特徴領域の探索及び抽出の少なくとも一方の処理を行う工程と、
前記少なくとも１つの特徴領域を用いて、前記被検眼の動きを測定する工程と、
を含むことを特徴とする被検眼の動きを測定する方法。
【請求項２３】
コンピュータに請求項２１または２２に記載の方法を実行させるためのコンピュータプログラム。
【手続補正２】
【補正対象書類名】明細書
【補正対象項目名】０００７
【補正方法】変更
【補正の内容】
【０００７】
上述の課題を解決する為、本発明の第一の構成に係る被検眼の動きを測定する眼科装置は、前記被検眼の複数の眼底画像を異なる時間に取得する画像取得手段と、前記取得された複数の眼底画像のうち少なくとも１つにおいて、眼球の動きを示す範囲に基づいて、部分領域を決定する決定手段と、前記少なくとも１つの眼底画像のうち、前記決定された部分領域から少なくとも１つの特徴領域の探索を行う処理手段と、前記少なくとも１つの特徴領域を用いて、前記被検眼の動きを測定する手段と、を有することを特徴とする。
【手続補正３】
【補正対象書類名】明細書
【補正対象項目名】０００８
【補正方法】変更
【補正の内容】
【０００８】
また、本発明の第二の構成に係る被検眼の動きを測定する方法は、前記被検眼の複数の眼底画像を異なる時間に取得する工程と、眼の動きの量に基づいて前記複数の眼底画像のうち少なくとも１つに部分領域を決定する工程と、前記複数の眼底画像のうち少なくとも２つの眼底画像から特徴領域を抽出する工程、及び前記抽出された特徴領域の間の座標の差を計算する工程、を含む処理をする工程と、前記処理の結果に基づいて前記複数の眼底画像の位置ずれを測定する工程と、を含み、前記処理をする工程は前記複数の眼底画像のうち１つから少なくとも１つの特徴領域を抽出する工程、及び前記取得された複数の眼底画像のうち、その他の少なくとも１つの眼底画像の前記部分領域から前記抽出された少なくとも１つの特徴領域と類似する画像を探索する工程を含むことを特徴とする。